(57)【要約】      （修正有）【課題】本考案は、俯かず前向きの姿勢で読書することを可能にするとともに、軽くコンパクト(Ａ４サイズ)に折畳んで図書館や旅先へ手軽に携行し、且つ、簡単に組み立てられる折畳式携帯書見台を提供する。【解決手段】基底板１と、基底板１の一端部に谷折り線１２を介して一端部を連結した書見板２と、書見板２の他端部に谷折り線１２を介して一端部を連結した背面板３と、背面板３の他端部に山折り線１１を介して一端部を連結した支持板４を備えた段ボール紙からなる折畳式携帯書見台において、基底板１は、谷折り線１２を介して書載板５と孔９とを備え、書見板２は、折り畳み時に書載板５が貫通する空間部を備え、支持板４は、折り畳み時に孔９に挿入する凸部６を備えたことを特徴とする。【選択図】図２
0003193928.tif 000002
【実用新案登録請求の範囲】
【請求項１】
本考案は、図１に示す一枚の段ボール紙を、一工程で、図１の実線に沿って切り抜くと同時に、同図の点線に沿って同段ボール紙に折畳み線を入れて作る組立て式の書見台。
【請求項２】
本考案は、書見板（符号２）の傾きを５段階で調整できるように、支持板の凸部（符号６）が入る５つの孔（符号９）を基底板（符号１）に穿設した請求項１記載の書見台。
【考案の詳細な説明】
【技術分野】
【０００１】
本考案は、机上で俯かず前向きな姿勢で読書することを可能にし、図書館や旅先へ手軽に持って行ける折畳式の書見台で、一枚の段ボール紙を打ち抜いて作られた書見台に関する。
【背景技術】
【０００２】
一般的な書見台は、立体的で図書館や旅先へ携行して使うには嵩張ってそれなりの荷物になるものが多い。
【０００３】
従来の携帯用書見台は、構造が複雑で、本の保持や見開きページの固定に安定感を欠くものが多い。
【０００４】
【特許文献１】特開２００２−２０９６４１号公報  特開平０７−３１３２６０号公報  実開平０６−００７５４１号公報
【考案の開示】
【考案が解決しようとする課題】
【０００５】
解決しようとする課題は、一枚の段ボール紙を一工程で打ち抜いて製作することによって製造工程を簡略化し費用も廉価に押さえ、出来上がった書見台は軽くて携帯に便利なものとし、組立て方法も簡便な折畳み式の書見台を提供すること。
【課題を解決するための手段】
【０００６】
本考案の書見台は、一枚の段ボール紙を一工程で打ち抜き、同時に折畳み線を入れることとし、製造工程を簡略化することによって製作費用を廉価に押さえる。
【０００７】
本考案の書見台は、携帯に適するよう折畳式にし、組立て方法も簡便なものとし、また、支持板の下方の左右の凸部が入る孔を基底板の左右５か所設けることによって、書見板の傾斜角度を５段階で調整できるようにする。
【０００８】
本考案の書見台は、その基底板に脚組みした膝頭部の入る空間部を設ける。
【０００９】
本考案の書見台は、書載板の上に本を載置し、左右に開いた本から手を離しても、本が書載板から落ちたり、本のページ部が閉じられないように書見板の適宜な場所に本のページ部を留める用具である移動自在のフリーバインダーを装備する。
【考案の効果】
【００１０】
本考案の書見台は、段ボール紙で作られ、重さは約１００グラムと軽く、組立式となっているので、折畳んで鞄や手提げ袋などに入れて携帯し、図書館や旅先へ持って行って使え、また、折畳んだときの大きさはＡ４判サイズで、厚さは１センチメートル弱なので配送料の廉価なメール便で遠隔地に配送できる。
【００１１】
本考案の書見台は、基底板に脚組みした膝頭が入る空間部を設けたので、脚組みした膝頭の上に書見台を載せて安定して書見できる。
【００１２】
本考案の書見台は、開けたページが閉じられないようにする移動自在のフリーバインダーを装備するので、読書中ページを押さ続けなければならない煩わしさから開放され、両手を自由にして読書できる。
【００１３】
本考案の書見台は、基底板の左右に支持板の下方の左右に設けられた凸部が入る孔を５か所設けたので、書見板の傾斜角度を５段階で容易に調整できる。        
【００１４】
本考案の書見台は、移動自在のフリーバインダーによって、本がしっかりと書見板に固定できるので、机上での書見に限ることなく、膝の上や脚組みした膝頭の上に置いても書見できる。
【考案を実施するための最良の形態】
【００１５】
図１（切り抜き前の平面図）に示す段ボール紙を、図２（組立て手順図（斜視図））に示す手順に従って折畳んで、図３（組立て完成図（斜視図））に示す書見台に組立てることができるとともに、図４（折畳んだ時の右側面図）のような折畳んだときの状態を示す折畳式書見台を作る。
【００１６】
本考案の書見台は、本を載せる書見板の寸法が縦２５センチメートル、横２１センチメートルとなっており、文庫本から週刊誌までの大きさの本を安定的に載置できる。
【実施例１】
【００１７】
図２は、組立手順図（斜視図）で、基底板をベースに、書見板を折り上げ（１３）、書載板を折り曲げ（１４）、書見板に開けられた書載板の貫通空間部に書載板を貫通させ（１５）、背面板を折畳み（１６）、支持板を折り曲げ（１７）、支持板の下部に設けられた凸部を基底板に開けられた支持板凸部を挿入する孔に挿入する（１８）組立て手順を示す図。
【実施例２】
【００１８】
図３は、組立て完成図（斜視図）で、書見板の傾斜度を５段階のうちの３段階目を選んだ実施例。
【実施例３】
【００１９】
図４は、折畳んだ時の右側面図で、書見台を携帯するときの図。
【００２０】
図５は、単行本を載せた斜視図で、組立てられた書載板の上に単行本を置き、見開いたページ部が閉じられないように押さえるための用具である移動自在のフリーバインダーを使って見開いた本を書見板に留めた実施例。
【図面の簡単な説明】
【００２１】
【図１】切り抜き前の平面図
【図２】組立て手順図（斜視図）
【図３】組立て完成図（斜視図）
【図４】折畳んだ時の右側面図
【図５】単行本搭載図（斜視図）
【符号の説明】
【００２２】
１ 基底板
２ 書見板
３ 背面板
４ 支持板
５ 書載板
６ 支持板の凸部
７ 書載板が貫通する空間部
８ 取っ手部
９ 支持板の凸部を挿入する孔
１０ 膝頭の入る空間部
１１ 山折り線
１２ 谷折り線
１３ 基底板をベースにして書見板を谷折り線に沿って曲げて折り上げる。
１４ 書載板を谷折り線に沿って折り曲げる。
１５ 書載板を貫通空間部に貫通させる。
１６ 背面板を谷折り線に沿って折り畳む。
１７ 支持板を山折り線に沿って折り曲げる。
１８ 支持板の凸部を挿入する孔に支持板の凸部を挿入する。
１９ 本のページ部
２０ フリーバインダー
【図１】
0003193928.tif 000003
【図２】
0003193928.tif 000004
【図３】
0003193928.tif 000005
【図４】
0003193928.tif 000006
【図５】
0003193928.tif 000007
【手続補正書】
【提出日】平成26年8月29日(2014.8.29)
【手続補正１】
【補正対象書類名】実用新案登録請求の範囲
【補正対象項目名】全文
【補正方法】変更
【補正の内容】
【実用新案登録請求の範囲】
【請求項１】
基底板（１）と、基底板（１）の一端部に谷折り線（１２）を介して一端部を連結した書見板（２）と、書見板（２）の他端部に谷折り線（１２）を介して一端部を連結した背面板（３）と、背面板（３）の他端部に山折り線（１１）を介して一端部を連結した支持板（４）を備えた段ボール紙からなる折畳式携帯書見台において、基底板（１）は、谷折り線（１２）を介して書載板（５）と孔（９）とを備え、書見板（２）は、折り畳み時に書載板（５）が貫通する空間部（７）を備え、支持板（４）は、折り畳み時に孔（９）に挿入する凸部（６）を備えたことを特徴とする折畳式携帯書見台。
【請求項２】
書見板（２）の傾きを５段階で調整できるように、支持板（４）の凸部（６）が入る基底板（１）の孔（９）を５つ穿設したことを特徴とする請求項１に記載の折畳式携帯書見台。